(57)【要約】【課題】  主として携帯される設置型の飲料容器と共に、屋外で使用する使い捨てカップを収納するカップホルダーにおいて、１個毎の取り出し構造を備え、また取付箇所の汎用性を備えた器具を安価で提供する。【解決手段】樹脂製で且つ飲料容器への取付部を備えた筒状本体部１１の下方内周面に、下方へ庇状に傾斜して突出した薄舌片１２を、適宜間隔で且つ適宜な弾性を備えるように本体部と一体成形で形成し、筒状本体部の上方開口部に、煽り開閉自在に蓋体を装着し、筒状本体部１１の背面に設けた収納枠１３に、磁石を使用した磁気吸着による取付部を設けてなる。【選択図】  図４
2008213942.tif 000002
【特許請求の範囲】
【請求項１】
樹脂製で且つ飲料容器への取付部を備えた筒状本体部の下方内周面に、下方へ庇状に傾斜して突出した薄舌片を、適宜間隔で且つ適宜な弾性を備えるように本体部と一体成形で形成したことを特徴とするカップホルダー。
【請求項２】
筒状本体部の上方開口部に、煽り開閉自在に蓋体を装着すると共に、蓋体開放時に前記上方開口部の開口面積が維持されるように設けてなる請求項１記載のカップホルダー。
【請求項３】
筒状本体の外周面適宜箇所に、磁石を使用した磁気吸着による取付部を設けてなる請求項１又は２記載のカップホルダー。
【請求項４】
磁石表面より外方に突出させた保護部を付設してなる請求項３記載のカップホルダー。
【発明の詳細な説明】
【技術分野】
【０００１】
本発明は、主として携帯される設置型の飲料容器と共に、屋外で使用するカップを収納するカップホルダーに関するものである。
【背景技術】
【０００２】
多数のカップを積層収納するカップホルダーにおいて、特に使い捨てコップ等を積層状態で収納し、下方開口部から１個毎取り出すようにした所謂カップディスペンサーは、種々の構造の器具が知られている。
【０００３】
カップの１個毎の取り出し構造（カップ保持構造）としては、特許文献１（実開平４−７４６７７号公報）に示されているように、板バネ体で積層最下位置の上縁膨出部（縁部）を保持し、板バネ体の付勢力に抗してカップを引き抜き、次段カップの鍔部を保持する手段が知られており、また伸縮膜で形成された通過孔でカップの鍔部を保持する手段（実開昭５４−１８２２５３号公報）、更にカップ保持側が弾性を備えない固定突起とし、カップの弾性で対応する手段も知られている（特許文献２：実開昭５４−２０９８０号公報）。
【０００４】
携帯用飲料容器に付属して使用するカップホルダーは、特許文献３（実開昭６０−５４５６７号公報）に開示されており、飲料容器の把手部に係止受け部を形成し、カップホルダー側に係止受け部と対応する係止部を設けている。
【０００５】
またカップホルダー（カップディスペンサー）を他の器具等に装着する構造としては、特許文献１に開示されている粘着テープによる固定手段や、実開昭５８−５５０８６号公報に開示されている掛け止めクリップを設け、当該クリップを使用する手段が知られている。
【０００６】
【特許文献１】実開平４−７４６７７号公報。
【特許文献２】実開昭５４−２０９８０号公報。
【特許文献３】実開昭６０−５４５６７号公報。
【発明の開示】
【発明が解決しようとする課題】
【０００７】
携帯用飲料容器と共に、キャンプなどのアウトドアで使用することを主たる目的とするカップホルダーに採用されるべきカップの１個毎の取り出し機構は、単純な構造で且つ安価である必要がある。前記したカップ保持構造において、特許文献２記載の固定突起を採用することが最も安価に器具を製造できるが、カップ鍔部の径が小さすぎるとカップ保持が困難となり、径が大きいと引き抜きが困難となるので、使用する使い捨てカップに厳密な規格が必要となり、消耗品（カップ）が経費高となってしまう。
【０００８】
また伸縮幕の採用は、衛生上の密封性を確保するためであり、業務用に適し、高価な器具となってしまう。
【０００９】
従前のカップ保持構造においては、特許文献１に開示された板バネ体の採用が最も安価に器具の製造ができるが、それでも、金属製の板バネ体をカップ収納筒の内部に組み込むには相応の製造コストを要する。
【００１０】
また携帯用の屋外設置型の飲料容器に付属させる構造として特許文献３に開示されているように、飲料用容器とカップホルダーに各々対応する係止構造を採用することは、カップホルダーに汎用性が無く、使用対象の屋外設置用飲料容器が限定されてしまう。
【００１１】
また粘着テープの使用による固定は、一旦飲料容器に取り付けてしまうと、そのままの状態となり、携帯収納に不便なものとなるし、クリップによる装着は、やはり飲料用容器にクリップの受け部を備える必要がある。
【００１２】
そこで本発明は、安価で製造できる１個毎の取り出し構造を備えた携帯用の屋外設置型の飲料容器に付属させるカップホルダーを提案したものである。
【課題を解決するための手段】
【００１３】
本発明に係るカップホルダーは、樹脂製で且つ飲料容器への取付部を備えた筒状本体部の下方内周面に、下方へ庇状に傾斜して突出した薄舌片を、適宜間隔で且つ適宜な弾性を備えるように本体部と一体成形で形成したことを特徴とするものである。
【００１４】
従って筒状本体部の上方開口部から積層状態のカップ（使い捨ての紙コップやプラスチックコップ）を差し入れると、カップの鍔部が薄舌片で支持されカップ下方部分が筒状本体部下方開口部から露出した状態で保持される。そこで最下層カップを下方に引くと、薄舌片を筒状本体部の内壁側に押し込んで引き抜かれ、同時に薄舌片が復帰して次段のコップの鍔部を支持する。
【００１５】
また本発明（請求項３）に係るカップホルダーは、前記ホルダーに於いて、筒状本体の外周面適宜箇所に、磁石による磁気吸着による取付部を設けたものである。
【００１６】
従って金属製の携帯用飲料容器の適宜箇所や、アウトドア器具における金属製の部分に磁気吸着によって取り付けることができる。
【発明の効果】
【００１７】
本発明は上記の通り、カップの１個毎の取り出し機能を奏するカップ弾性保持部を、本体部と一体成形によって設けた薄舌片で構成したことによって、家庭用のアウトドア物品として安価に提供できたものであり、また他器具への取付部に磁気吸着を採用しことで、近年広く普及している金属製真空二重構造（断熱構造）の携帯用屋外設置型の飲料用容器に、簡単に着脱でき、より汎用性が高められたものである。
【発明を実施するための最良の形態】
【００１８】
次に本発明の実施形態について説明する。実施形態に示したカップホルダーは、本体１と蓋体２と取付部３で構成される。
【００１９】
本体１は、筒状本体部１１と、薄舌片１２と、取付部３の収納枠１３と、蓋装着部１４とを備え、全体を樹脂の一体成形で製出したものである。
【００２０】
筒状本体部１１は、カップＢが収納される適宜な大きさに形成し、下方前周面にカップの収納状況を確認できる抜き溝部１５が形成され、後周面に後述する取付部３の収納枠１３が上下に形成され、上端後部に蓋体２を煽り回動自在に装着できる軸部を有する蓋装着部１４を設けたものである。
【００２１】
更に薄舌片１２は、筒状本体部１１の下方内周面に、下方へ庇状に傾斜（傾斜角４５度以上）して突出させ、先端を鉛直方向（周面と平行）に折曲した形状で、特に適宜な弾性を備えるようにして、内周面に等間隔で複数（図示例は３箇所であるが、２〜６箇所でも良い）設けたものである。
【００２２】
蓋体２は、筒状本体部１１の上方開口部の開閉を行なうようにしたもので、後側に蓋装着部１４の軸部が嵌合される軸受部２１を設けて、本体１に煽り開閉自在に装着し、特に蓋体開放時には、筒状本体部１１の上方開口部の開口面積が維持されるようにしているものである。
【００２３】
取付部３は、筒状本体部１１の後周面の上下２箇所に設けた収納枠１３内に固着されるもので、磁石３１と、前記磁石３１のヨーク体３２からなり、特にヨーク体３２は、磁石を抱持した状態で、磁石３１の表面から突出させ、突出部に樹脂シール等による保護部３３を設けてなり、磁石３１とヨーク体３２を収納枠１３内に適宜な手段（図示例はビス止め）で固着する。
【００２４】
而して前記カップホルダーは、携帯用の屋外設置型の飲料容器Ａ（金属製真空二重構造）と共に使用されるもので、前記飲料容器Ａの外周面に磁石３１の吸着力で吸着させる。特に吸着時に飲料容器Ａと当接する箇所が保護部３３であるから飲料容器Ａの表面を傷付けることなく飲料容器に装着できる。
【００２５】
尚飲料容器Ａが非金属製の場合には、他のアウトドア用器具の金属部分に吸着して使用することができる。
【００２６】
カップホルダーに収納されるカップＢは、使い捨ての紙コップやプラスチックコップで、積層状態のまま筒状本体部１１の上方開口部から差し入れて収納し、収納後に蓋体２を閉じ、積層されたカップＢは自重で下方に移動し、カップＢの鍔部ｂが薄舌片１２で支持されカップＢの下方部分が筒状本体部１１の下方開口部から露出した状態で保持される。
【００２７】
そこで最下層のカップＢ１を下方に引くと、薄舌片１２を筒状本体部１１の内壁側に押し込んで引き抜かれ、同時に薄舌片１２が復帰して次段のコップＢ２の鍔部ｂを支持することになり、順次カップＢの取出しが可能となるものである。
【００２８】
また積層カップが多数の場合には、図７，８に例示するように蓋体２を開放した状態で使用することができるものである。
【図面の簡単な説明】
【００２９】
【図１】本発明の実施形態の使用状態を示す全体斜視図（コップ収納前）。
【図２】同図（カップ収納後）。
【図３】同筒状本体部の正面図（一部切断）。
【図４】同筒状本体部の側面断面図。
【図５】同筒状本体部の平面図。
【図６】同取付部の説明図。
【図７】同多数カップ使用時の説明図（斜視図）。
【図８】同図（断面図）。
【符号の説明】
【００３０】
１        本体
１１      筒状本体部
１２      薄舌片
１３      収納枠
１４      蓋装着部
１５      抜き溝部
２        蓋体
２１      軸受部
３        取付部
３１      磁石
３２      ヨーク体
３３      保護部
Ａ        飲料容器
Ｂ，Ｂ１，Ｂ２    カップ
ｂ        鍔部
【図１】
2008213942.tif 000003
【図２】
2008213942.tif 000004
【図３】
2008213942.tif 000005
【図４】
2008213942.tif 000006
【図５】
2008213942.tif 000007
【図６】
2008213942.tif 000008
【図７】
2008213942.tif 000009
【図８】
2008213942.tif 000010